(57)【要約】【課題】画像形成装置の機能を画像形成装置またはモバイル端末のどちらで行うかを判断する画像形成装置を提供する。【解決手段】表示性能算出部１１０ａは、表示機能の性能に対するポイントを表示機能ポイント設定テーブル１２０ａに設定する。データ処理性能算出部１１０ｂは、データ処理機能に対するポイントをデータ処理機能ポイント設定テーブル１２０ｂに設定する。通信性能算出部１１０ｃは、通信機能に対するポイントを通信機能ポイント設定テーブル１２０ｃに設定する。機能ポイント受信処理部１１０ｄは、モバイル端末６００から各機能のポイントを受信すると、表示機能ポイント設定テーブル１２０ａ、データ処理機能ポイント設定テーブル１２０ｂ、及び通信機能ポイント設定テーブル１２０ｃに設定する。機能別デバイス選択処理部１１０ｅは、画像形成装置１００とモバイル端末６００の各機能のポイントを比較し、ポイントが高い方でその機能を行う。【選択図】図２
2014048915.tif 000002
【特許請求の範囲】
【請求項１】
モバイル端末から操作が可能な画像形成装置であって、
前記画像形成装置が具備する機能の性能情報である機能性能情報を検出する機能性能情報検出手段と、
前記モバイル端末から当該モバイル端末の機能性能情報を受信する機能性能情報受信手段と、
前記画像形成装置の前記機能性能情報と前記モバイル端末の前記機能性能情報とを比較し、前記画像形成装置の性能が高いと判定された前記機能を選択する動的機能選択手段とを備え、
前記動的機能選択手段により選択されなかった前記機能の処理を前記モバイル端末に実行させ、前記動的機能選択手段により選択された前記機能の処理を実行することを特徴とする画像形成装置。
【請求項２】
前記機能の要素毎の性能に対する重み付けに基づいて、前記機能の要素の性能情報をポイントに換算し、前記機能の要素に対する前記ポイントの合計ポイントを算出する機能ポイント算出手段を備えることを特徴とする請求項１に記載の画像形成装置。
【請求項３】
前記機能選択手段は、前記画像形成装置の前記合計ポイントと前記モバイル端末の前記合計ポイントとを比較することを特徴とする請求項２に記載の画像形成装置。
【請求項４】
モバイル端末から操作が可能な画像形成装置であって、
前記画像形成装置が具備する機能の性能情報である機能性能情報が記憶されている機能性能情報記憶手段と、
前記モバイル端末から当該モバイル端末の機能性能情報を受信する機能性能情報受信手段と、
前記画像形成装置の前記機能性能情報と前記モバイル端末の前記機能性能情報とを比較し、前記画像形成装置の性能が高いと判定された前記機能を選択する静的機能選択手段とを備え、
前記静的機能選択手段により選択されなかった前記機能の処理を前記モバイル端末に実行させ、前記静的機能選択手段により選択された前記機能の処理を実行することを特徴とする画像形成装置。
【請求項５】
性能受信手段は、近距離無線通信により前記モバイル端末から前記機能の性能情報を受信することを特徴とする請求項１から請求項４のいずれか１項に記載の画像形成装置。
【請求項６】
前記性能受信手段は、無線ＬＡＮ通信により前記モバイル端末から前記機能の性能情報を受信することを特徴とする請求項１から請求項４のいずれか１項に記載の画像形成装置。
【請求項７】
前記性能受信手段は、インターネットを経由して前記モバイル端末から前記機能の性能情報を受信することを特徴とする請求項１から請求項４のいずれか１項に記載の画像形成装置。
【請求項８】
モバイル端末から操作が可能な画像形成装置であって、
前記モバイル端末は、
前記モバイル端末が具備する機能の性能情報である機能性能情報を検出するモバイル端末機能性能情報検出手段と、
前記モバイル端末から当該モバイル端末の前記機能性能情報を前記画像形成装置に送信する機能性能情報送信手段とを備え、
前記画像形成装置は、
前記画像形成装置が具備する機能の性能情報である機能性能情報を検出する画像形成装置機能性能情報検出手段と、
前記モバイル端末から当該モバイル端末の前記機能性能情報を受信する機能性能情報受信手段と、
前記画像形成装置の前記機能性能情報と前記モバイル端末の前記機能性能情報とを比較し、前記画像形成装置の性能が高いと判定された前記機能を選択する動的機能選択手段とを備え、
前記動的機能選択手段により選択されなかった前記機能の処理を前記モバイル端末に実行させ、前記動的機能選択手段により選択された前記機能の処理を前記画像形成装置が実行することを特徴とする画像形成システム。
【請求項９】
モバイル端末から操作が可能な画像形成装置であって、
前記画像形成装置は、
前記画像形成装置が具備する機能の性能情報である機能性能情報を検出する画像形成装置機能性能情報検出手段と、
前記画像形成装置から当該画像形成装置の前記機能性能情報を前記モバイル端末に送信する機能性能情報送信手段とを備え、
前記モバイル端末は、
前記モバイル端末が具備する機能の性能情報である機能性能情報を検出するモバイル端末機能性能情報検出手段と、
前記画像形成装置から当該画像形成装置の前記機能性能情報を受信する機能性能情報受信手段と、
前記モバイル端末の前記機能性能情報と前記画像形成装置の前記機能性能情報とを比較し、前記モバイル端末の性能が高いと判定された前記機能を選択する動的機能選択手段とを備え、
前記動的機能選択手段により選択されなかった前記機能の処理を前記画像形成装置に実行させ、前記動的機能選択手段により選択された前記機能の処理を前記モバイル端末が実行することを特徴とする画像形成システム。
【発明の詳細な説明】
【技術分野】
【０００１】
本発明は、画像形成装置または画像形成装置を操作することが可能な携帯電話、スマートフォン、または携帯端末（以下、「モバイル端末」という）を使用した画像形成装置及び画像形成システムに関する。
【背景技術】
【０００２】
プリンタ、多機能プリンタ、多機能周辺装置、又は複合機などのＭＦＰ（Ｍｕｌｔｉｆｕｎｃｔｉｏｎ  Ｐｅｒｉｐｈｅｒａｌ）である画像形成装置は、読み取った文書、サーバに保存されている文書データから画像データが形成され、形成した画像データについて印刷出力、ＦＡＸでの送信、メールでの送信、またはサーバに画像データを出力することが可能である。また、このような画像形成装置をモバイル端末から操作することが可能となった。昨今のモバイル端末の発展は目覚ましく、モバイル端末の方が画像形成装置に搭載されている表示、データ処理、通信などの機能の性能より優れているものもある。
【０００３】
このように、画像形成装置の操作をモバイル端末から行う技術が普及しており、画像形成装置が備える本体パネルまたはモバイル端末のどちらでも画像形成装置を容易に操作することができるようになった。例えば、特許文献１では、画像形成装置の操作部から行っていたサービス操作を無線端末から操作することにより、端末と画像形成装置の関係を１対多で行え、複数の画像形成装置に対する制御プログラムの書換えを同時に行うことができる技術が開示されている。また、特許文献２では、携帯電話のｉＭｏｄｅ機能を利用することでプリンタの操作を携帯電話から行い、プリンタのステータス・エラー情報等を携帯電話に表示することで、プリンタパネルレス、もしくは、表示部を持たない機器に対しての新しい機器操作手段を実現する技術が開示されている。
【先行技術文献】
【特許文献】
【０００４】
【特許文献１】特開２００４−３３３６２５号公報
【特許文献２】特開２００５−２０１２６号公報
【発明の概要】
【発明が解決しようとする課題】
【０００５】
このような特許文献１の画像形成装置や特許文献２のプリンタは、モバイル端末から操作することが可能であるが、特許文献１のように画像形成装置の本体に搭載されているパネルとモバイル端末の二つの手段が存在するときに、どちらの端末を使用すると操作性や作業効率が向上するのか明確に示すことができない。また、操作に必要な要素である表示部、データ処理部、通信部の各要素において、本体パネルとモバイル端末とで優劣が混在している場合、どちらか一方のデバイスで操作する従来の技術では、使用可能なハードウエアリソースを活用できずに利便性が低下するということがあった。
【０００６】
本発明はこのような状況に鑑みてなされたものであり、上記課題を解決できる画像形成装置及び画像形成システムを提供することを目的とする。
【課題を解決するための手段】
【０００７】
本発明の画像形成装置は、モバイル端末から操作が可能な画像形成装置であって、前記画像形成装置が具備する機能の性能情報である機能性能情報を検出する機能性能情報検出手段と、前記モバイル端末から当該モバイル端末の機能性能情報を受信する機能性能情報受信手段と、前記画像形成装置の前記機能性能情報と前記モバイル端末の前記機能性能情報とを比較し、前記画像形成装置の性能が高いと判定された前記機能を選択する動的機能選択手段とを備え、前記動的機能選択手段により選択されなかった前記機能の処理を前記モバイル端末に実行させ、前記動的機能選択手段により選択された前記機能の処理を実行することを特徴としている。
また、本発明の画像形成装置は、前記機能の要素毎の性能に対する重み付けに基づいて、前記機能の要素の性能情報をポイントに換算し、前記機能の要素に対する前記ポイントの合計ポイントを算出する機能ポイント算出手段を備えることを特徴としている。
また、本発明の画像形成装置の前記機能選択手段は、前記画像形成装置の前記合計ポイントと前記モバイル端末の前記合計ポイントとを比較することを特徴としている。
また、本発明の画像形成装置は、モバイル端末から操作が可能な画像形成装置であって、前記画像形成装置が具備する機能の性能情報である機能性能情報が記憶されている機能性能情報記憶手段と、前記モバイル端末から当該モバイル端末の機能性能情報を受信する機能性能情報受信手段と、前記画像形成装置の前記機能性能情報と前記モバイル端末の前記機能性能情報とを比較し、前記画像形成装置の性能が高いと判定された前記機能を選択する静的機能選択手段とを備え、前記静的機能選択手段により選択されなかった前記機能の処理を前記モバイル端末に実行させ、前記静的機能選択手段により選択された前記機能の処理を実行することを特徴としている。
また、本発明の画像形成装置の性能受信手段は、近距離無線通信により前記モバイル端末から前記機能の性能情報を受信することを特徴としている。
また、本発明の画像形成装置の前記性能受信手段は、無線ＬＡＮ通信により前記モバイル端末から前記機能の性能情報を受信することを特徴としている。
また、本発明の画像形成装置の前記性能受信手段は、インターネットを経由して前記モバイル端末から前記機能の性能情報を受信することを特徴としている。
本発明の画像形成システムは、モバイル端末から操作が可能な画像形成装置であって、前記モバイル端末は、前記モバイル端末が具備する機能の性能情報である機能性能情報を検出するモバイル端末機能性能情報検出手段と、前記モバイル端末から当該モバイル端末の前記機能性能情報を前記画像形成装置に送信する機能性能情報送信手段とを備え、前記画像形成装置は、前記画像形成装置が具備する機能の性能情報である機能性能情報を検出する画像形成装置機能性能情報検出手段と、前記モバイル端末から当該モバイル端末の前記機能性能情報を受信する機能性能情報受信手段と、前記画像形成装置の前記機能性能情報と前記モバイル端末の前記機能性能情報とを比較し、前記画像形成装置の性能が高いと判定された前記機能を選択する動的機能選択手段とを備え、前記動的機能選択手段により選択されなかった前記機能の処理を前記モバイル端末に実行させ、前記動的機能選択手段により選択された前記機能の処理を前記画像形成装置が実行することを特徴としている。
また、本発明の画像形成システムは、モバイル端末から操作が可能な画像形成装置であって、前記画像形成装置は、前記画像形成装置が具備する機能の性能情報である機能性能情報を検出する画像形成装置機能性能情報検出手段と、前記画像形成装置から当該画像形成装置の前記機能性能情報を前記モバイル端末に送信する機能性能情報送信手段とを備え、前記モバイル端末は、前記モバイル端末が具備する機能の性能情報である機能性能情報を検出するモバイル端末機能性能情報検出手段と、前記画像形成装置から当該画像形成装置の前記機能性能情報を受信する機能性能情報受信手段と、前記モバイル端末の前記機能性能情報と前記画像形成装置の前記機能性能情報とを比較し、前記モバイル端末の性能が高いと判定された前記機能を選択する動的機能選択手段とを備え、前記動的機能選択手段により選択されなかった前記機能の処理を前記画像形成装置に実行させ、前記動的機能選択手段により選択された前記機能の処理を前記モバイル端末が実行することを特徴としている。
【発明の効果】
【０００８】
本発明の画像形成装置及び画像形成システムは、画像形成装置の機能を具備するモバイル端末において、画像形成装置の機能を画像形成装置で行うか、またはモバイル端末で行うかをユーザーの利便性から判断し、利便性の高い画像形成装置またはモバイル端末でその機能を行うことができる。
【図面の簡単な説明】
【０００９】
【図１】本発明の実施形態に係る画像形成システムの構成例を示す図である。
【図２】本発明の実施形態に係る画像形成装置の機能構成を示す図である。
【図３】本発明の実施形態に係る表示性能設定テーブル、データ処理性能設定テーブル、及び通信性能設定テーブルの構成を示す図である。
【図４】本発明の実施形態に係るモバイル端末の機能構成を示す図である。
【図５】本発明の実施形態に係る機能別デバイス選択処理の流れを示すフローチャートである。
【発明を実施するための形態】
【００１０】
以下、本発明を実施するための形態（以下、「実施形態」という）について図面を参照して説明する。図１に示す本発明の画像形成システム１０には、画像形成装置１００の表示、データ処理、及び通信の機能を具備するモバイル端末６００が設けられている。また、画像形成装置１００は、表示、データ処理、及び通信の各々の機能について、画像形成装置１００本体またはモバイル端末６００のどちらの機能を使用する方がより利便性が高いかを判定し、より利便性が高いと判定された画像形成装置またはモバイル端末のデバイス（以下、「デバイス」という）機能の処理をそのデバイスで行うものである。
【００１１】
本実施形態の画像形成システム１０の概要について、図１を用いて説明する。図１に示すように、画像形成システム１０は、画像形成装置１００、無線ＬＡＮ端末２００、ルータ３００、ファィルサーバ４００、ＬＡＮ（Local Area Network）５００、モバイル端末６００、及びインターネット７００により構成されている。画像形成装置１００、無線ＬＡＮ端末２００、ルータ３００、及びファィルサーバ４００は、ＬＡＮ５００に接続されている。
【００１２】
次に、画像形成システム１０を構成する装置や機器について説明する。画像形成装置１００は、直接読み取った文書、ファィルサーバ４００に保存されている文書データなどから画像データを形成し、形成した画像データをトレイに出力または指定された装置や機器に送信する。無線ＬＡＮ端末２００は、モバイル端末６００と無線ＬＡＮ通信を行う。ルータ３００は、ＬＡＮ５００とインターネット７００とを接続する。また、ルータ３００がＬＡＮ５００に接続するときにファイアーウォール（図示せず）を経由させることで、インターネット７００からＬＡＮ５００に接続されている画像形成装置１００とファイルサーバ４００に対する不正アクセスを防ぐことができる。ファイルサーバ４００は、ＬＡＮ５００に接続されているディスクを備えたサーバであり、画像形成システム１０で用いられるデータファイルなどが保存される。モバイル端末６００は、移動端末であり、近距離無線通信規格であるBluetooth（登録商標）や赤外線通信により、画像形成装置１００と近距離で直接通信することができる。また、モバイル端末６００は、無線ＬＡＮ端末２００を経由して画像形成装置１００と無線通信を行うことができる。更に、モバイル端末６００は、携帯電話網（図示せず）を経由してインターネット７００に接続することができるので、インターネット７００からルータ３００を経由してＬＡＮ５００に接続されている画像形成装置１００やファィルサーバ４００にアクセスすることができる。
【００１３】
次に、本発明の実施形態に係る画像形成装置１００の主要な機能について、図２を用いて説明する。画像形成装置１００は、制御部１１０、メモリ部１２０、データ保存部１３０、操作パネル１４０、操作パネル処理部１５０、原稿読取部１６０、画像処理部１７０、近距離無線通信部１８０、及びＬＡＮインターフェース部１９０を備えている。制御部１１０、メモリ部１２０、データ保存部１３０、操作パネル処理部１５０、画像処理部１７０、近距離無線通信部１８０、及びＬＡＮインターフェース部１９０は、バス１０１により接続されている。制御部１１０には、表示性能算出部１１０a、データ処理性能算出部１１０ｂ、通信性能算出部１１０ｃ、機能ポイント受信処理部１１０ｄ、及び機能別デバイス選択処理部１１０ｅが設けられている。メモリ部１２０には、表示機能ポイント設定テーブル１２０ａ、データ処理機能ポイント設定テーブル１２０ｂ、及び通信機能ポイント設定テーブル１２０ｃが設けられている。データ保存部１３０には、画像データ保存エリア１３０ａが設けられている。
【００１４】
制御部１１０は、ＲＡＭやＲＯＭ等の主記憶手段、及びＣＰＵ(Central Processing Unit)等の制御手段を備えている。また、制御部１１０は、各種Ｉ／Ｏや、ＵＳＢ（ユニバーサル・シリアル・バス）等のインターフェース、バスコントローラ等を含む総合的な画像形成装置１００の制御を行う。
表示性能算出部１１０ａは、画像形成装置１００の操作パネル１４０の解像度や表示色などの操作パネル１４０の表示を行う機能を実現するときに使用されるハードウェアまたはソフトウェアの要素（以下、「表示要素」という）の性能を検出し、予め決められた重み付けにより表示要素毎のポイントとその合計ポイントを算出し、表示機能ポイント設定テーブル１２０ａに設定する。なお、ポイントの高い方が性能も高くなる。
データ処理性能算出部１１０ｂは、画像形成装置１００の操作画面に表示するデータの生成処理や画像イメージ（以下、画像プレビューという）の作成処理などにおけるデータ処理を行う機能を実現するときに使用されるハードウェアまたはソフトウェアの要素（以下、「データ処理要素」という）の性能を検出し、予め決められた重み付けによりデータ処理要素毎のポイントとその合計ポイントを算出し、データ処理機能ポイント設定テーブル１２０ｂに設定する。なお、ポイントの高い方が性能も高くなる。
通信性能算出部１１０ｃは、画像形成装置１００がファィルサーバ４００またはモバイル端末６００と通信を行う機能を実現するときに使用されるハードウェアまたはソフトウェアの要素（以下、「通信要素」という）の性能を検出し、予め決められた重み付けにより通信要素毎のポイントとその合計ポイントを算出し、通信機能ポイント設定テーブル１２０ｃに設定する。なお、ポイントの高い方が性能も高くなる。
機能ポイント受信処理部１１０ｄは、モバイル端末６００からモバイル端末６００の表示要素毎のポイントとその合計ポイントを受信すると、表示機能ポイント設定テーブル１２０ａに設定する。機能ポイント受信処理部１１０ｄは、モバイル端末６００からモバイル端末６００のデータ処理要素毎のポイントとその合計ポイントを受信すると、データ処理機能ポイント設定テーブル１２０ｂに設定する。機能ポイント受信処理部１１０ｄは、モバイル端末６００からモバイル端末６００の通信要素毎のポイントとその合計ポイントを受信すると、通信機能ポイント設定テーブル１２０ｃに設定する。
機能別デバイス選択処理部１１０ｅは、表示性能算出部１１０ａ、データ処理性能算出部１１０ｂ、及び通信性能算出部１１０ｃが算出した各機能の合計ポイントに基づいて、表示、データ処理、及び通信の各々の機能について、画像形成装置１００とモバイル端末６００のどちらを使用する方がより利便性が高いかを判定し、より利便性が高いと判定されたデバイスの機能を選択する。機能別デバイス選択処理部１１０ｅが実行する機能別デバイス選択処理については、後述する。
なお、表示性能算出部１１０ａ、データ処理性能算出部１１０ｂ、通信性能算出部１１０ｃ、及び機能別デバイス選択処理部１１０ｅは、制御部１１０により予め決められた一定の周期で実行される。
【００１５】
メモリ部１２０は、フラッシュメモリ等からなる補助記憶装置で、制御部１１０が実行する処理のプログラムやデータを記憶する。
表示機能ポイント設定テーブル１２０ａには、表示性能算出部１１０ａが算出した表示要素毎のポイントとその合計ポイント、及び機能ポイント受信処理部１１０ｄが受信したモバイル端末６００の表示要素毎のポイントとその合計ポイントが設定される。
データ処理機能ポイント設定テーブル１２０ｂには、データ処理性能算出部１１０ｂが算出したデータ処理要素毎のポイントとその合計ポイント、及び機能ポイント受信処理部１１０ｄが受信したモバイル端末６００のデータ処理要素毎のポイントとその合計ポイントが設定される。
通信機能ポイント設定テーブル１２０ｃには、通信性能算出部１１０ｃが算出した通信要素毎のポイントとその合計ポイント、及び機能ポイント受信処理部１１０ｄが受信したモバイル端末６００の通信要素毎のポイントとその合計ポイントが設定される。
表示機能ポイント設定テーブル１２０ａ、データ処理機能ポイント設定テーブル１２０ｂ、及び通信機能ポイント設定テーブル１２０ｃの構成については、後述する。
【００１６】
データ保存部１３０は、データやプログラムを保存するハードディスクドライブである。データ保存部１３０の画像データ保存エリア１３０ａには、原稿読取部１６０から読み取った画像、ＬＡＮインターフェース部１９０を経由してファイルサーバ４００やモバイル端末６００から受信した画像を保存する画像データ保存エリア１３０ａを備えている。
【００１７】
操作パネル１４０は、操作画面の表示とユーザーによる操作を受け付ける。操作パネル処理部１５０は、画像形成装置１００が備えている機能に対する操作項目を操作パネル１４０に表示する処理、操作パネル１４０からユーザーの操作を入力する処理、及び画像プレビューを表示する処理などを行う。
【００１８】
原稿読取部１６０は、ユーザーが操作パネル１４０から読み取り操作を行うと、画像形成装置１００の原稿台にセットされた原稿の読み取りを行い、画像に変換して画像処理部１７０に出力する。画像処理部１７０は、原稿読取部１６０から画像を入力すると、印刷可能な画像イメージやＦＡＸやメールで送信可能なイメージのデータに変換し、制御部１１０に出力する。
【００１９】
近距離無線通信部１８０は、近距離無線通信規格であるBluetooth（登録商標）や赤外線通信によりモバイル端末６００と近距離での直接通信を行う。
【００２０】
ＬＡＮインターフェース部１９０は、ＬＡＮ５００に接続されている無線ＬＡＮ端末２００、ルータ３００、及びファイルサーバ４００もＬＡＮ５００に接続されている。無線ＬＡＮ端末２００は、モバイル端末６００と無線による通信を行うので、画像形成装置１００はＬＡＮインターフェース部１９０と無線ＬＡＮ端末２００を経由して、モバイル端末６００にアクセスすることができる。ルータ３００は、インターネット７００に接続されているので、画像形成装置１００はＬＡＮインターフェース部１９０とルータ３００を経由して、インターネット７００にアクセスすることができる。また、画像形成装置１００はＬＡＮインターフェース部１９０を経由して、ファイルサーバ４００にアクセスすることができる。
【００２１】
次に、図３（１）に示す表示機能ポイント設定テーブル１２０ａ、図３（２）に示すデータ処理機能ポイント設定テーブル１２０ｂ、及び図３（３）に示す通信機能ポイント設定テーブル１２０ｃの構成について説明する。
【００２２】
表示機能ポイント設定テーブル１２０ａは、図３（１）に示すように「Ｎｏ」、「デバイス」、「表示機能要素ポイント」、及び「表示機能合計ポイント」の項目から構成されている。「Ｎｏ」は、デバイス毎に付けられるインデックス番号である。「デバイス」には、「画像形成装置」または「モバイル端末」のいずれかが設定される。「表示機能要素ポイント」には、「表示解像度」、「表示色」などの操作パネル１４０における表示要素毎の性能に対して予め決められた重み付けによりポイントに換算されたポイント数が設定される。「合計ポイント」には、「表示機能要素ポイント」のポイント数の合計が設定される。
このような構成の表示機能ポイント設定テーブル１２０ａにおいて、画像形成システム１０の画像形成装置１００を「Ｎｏ」の「１」に設定するときには、「デバイス」に「画像形成装置」、表示解像度の性能に対する重み付けされたポイント数が「ａ１」であれば「表示解像度」に「ａ１」、表示色の性能に対する重み付けされたポイント数が「ｂ１」であれば「表示色」に「ｂ１」が設定される。
【００２３】
データ処理機能ポイント設定テーブル１２０ｂは、図３（２）に示すように「Ｎｏ」、「デバイス」、「データ処理機能ポイント」、及び「データ処理機能合計ポイント」の項目から構成されている。「Ｎｏ」は、デバイス毎に付けられるインデックス番号である。「デバイス」には、「画像形成装置」または「モバイル端末」のいずれかが設定される。「データ処理機能要素ポイント」には、「ＣＰＵ処理速度」、「メモリ空き容量」などの操作画面に表示するデータの生成処理や画像プレビューの作成処理などにおけるデータ処理要素毎の性能に対して予め決められた重み付けによりポイントに換算されたポイント数が設定される。「合計ポイント」には、「データ処理機能要素ポイント」のポイント数の合計が設定される。
このような構成のデータ処理機能ポイント設定テーブル１２０ｂにおいて、画像形成システム１０のモバイル端末６００を「Ｎｏ」の「２」に設定するときには、「デバイス」に「モバイル端末」、ＣＰＵ速度の性能に対する重み付けされたポイント数が「ｃ２」であれば「ＣＰＵ処理速度」に「ｃ２」、メモリ空き容量の性能に対する重み付けされたポイント数が「ｄ２」であれば「メモリ空き容量」に「ｄ２」が設定される。
【００２４】
通信機能ポイント設定テーブル１２０ｃは、図３（３）に示すように「Ｎｏ」、「デバイス」、「通信機能要素ポイント」、及び「通信機能合計ポイント」の項目から構成されている。「Ｎｏ」は、デバイス毎に付けられるインデックス番号である。「デバイス」には、「画像形成装置」または「モバイル端末」のいずれかが設定される。「通信機能要素ポイント」には、「通信処理速度」、「サーバアクセス時間」などのファィルサーバ４００またはモバイル端末６００との通信などにおける通信要素毎の性能に対して予め決められた重み付けによりポイントに換算されたポイント数が設定される。「合計ポイント」には、「通信機能要素ポイント」の通信要素のポイント数の合計が設定される。
このような構成の通信機能ポイント設定テーブル１２０ｃにおいて、画像形成システム１０の画像形成装置１００を「Ｎｏ」の「１」に設定するときには、「デバイス」に「画像形成装置」、通信処理速度の性能に対する重み付けされたポイント数が「ｅ１」であれば「通信処理速度」に「ｅ１」、サーバアクセス時間の性能に対する重み付けされたポイント数が「ｆ１」であれば「サーバアクセス時間」に「ｆ１」が設定される。
【００２５】
次に、本発明の実施形態に係るモバイル端末６００の主要な機能について、図４を用いて説明する。モバイル端末６００は、制御部６１０、メモリ部６２０、操作パネル６３０、操作パネル処理部６４０、近距離無線通信部６５０、無線ＬＡＮ通信部６６０、及び携帯電話網通信部６７０を備えている。制御部６１０、メモリ部６２０、操作パネル処理部６４０、近距離無線通信部６５０、無線ＬＡＮ通信部６６０、及び携帯電話網通信部６７０は、バス６０１により接続されている。制御部６１０には、表示性能算出部６１０ａ、データ処理性能算出部６１０ｂ、通信性能算出部６１０ｃ、及び機能ポイント送信処理部６１０ｄが設けられている。メモリ部６２０には、表示機能ポイント保存エリア６２０ａ、データ処理機能ポイント保存エリア６２０ｂ、及び通信機能ポイント保存エリア６２０ｃが設けられている。
【００２６】
制御部６１０は、ＲＡＭやＲＯＭ等の主記憶手段、及びＣＰＵ(Central Processing Unit)等の制御手段を備え、モバイル端末６００全体の制御を行う。
表示性能算出部６１０ａは、画像形成装置１００の表示性能算出部１１０ａと同様に、モバイル端末６００の操作パネル６３０の解像度や表示色などの操作パネル６３０の表示における表示要素の性能を検出し、予め決められた重み付けにより表示要素毎のポイントとその合計ポイントを算出し、表示機能ポイント保存エリア６２０ａに保存する。
データ処理性能算出部６１０ｂは、画像形成装置１００のデータ処理性能算出部１１０ｂと同様に、モバイル端末６００の操作画面に表示するデータの生成処理や画像プレビューの作成処理などにおけるデータ処理要素の性能を検出し、予め決められた重み付けによりデータ処理要素毎のポイントとその合計ポイントを算出し、データ処理機能ポイント保存エリア６２０ｂに保存する。
通信性能算出部６１０ｃは、画像形成装置１００の通信性能算出部１１０ｃと同様に、モバイル端末６００がファィルサーバ４００または画像形成装置１００と通信する処理などにおける通信要素の性能を検出し、予め決められた重み付けにより通信要素毎のポイントとその合計ポイントを算出し、通信機能ポイント保存エリア６２０ｃに保存する。
機能ポイント送信処理部６１０ｄは、表示機能ポイント保存エリア６２０ａ、データ処理機能ポイント保存エリア６２０ｂ、及び通信機能ポイント保存エリア６２０ｃから機能要素ポイントとその機能合計ポイントを取り出し、近距離無線通信部６５０、無線ＬＡＮ通信部６６０、または携帯電話網通信部６７０の通信手段のいずれかを選択して画像形成装置１００に送信する。通信手段を選択する手順としては、予め決められている優先順序により通信可能かを判定し、通信可能となった通信手段を用いるようにすることも可能である。
なお、表示性能算出部６１０ａ、データ処理性能算出部６１０ｂ、通信性能算出部６１０ｃ、及び機能ポイント送信処理部６１０ｄは、制御部６１０により予め決められた一定の周期で実行される。
【００２７】
メモリ部６２０は、フラッシュメモリ等からなる補助記憶装置で、制御部６１０が実行する処理のプログラムやデータを記憶する。表示機能ポイント保存エリア６２０ａには、表示性能算出部６１０ａが算出した表示機能要素毎のポイントとその合計ポイントが保存される。データ処理機能ポイント保存エリア６２０ｂには、データ処理性能算出部６１０ｂが算出したデータ処理要素毎のポイントとその合計ポイントが保存される。通信機能ポイント保存エリア６２０ｃには、通信性能算出部６１０ｃが算出した通信要素毎のポイントとその合計ポイントが保存される。
【００２８】
操作パネル６３０は、操作画面の表示とユーザーによる操作を受け付ける。操作パネル処理部６４０は、モバイル端末６００が備えている機能に対する操作項目を操作パネル６３０に表示する処理、操作パネル６３０からユーザーの操作を入力する処理、及び画像プレビューを操作パネル６３０に表示する処理などを行う。
【００２９】
近距離無線通信部６５０は、近距離無線通信規格であるBluetooth（登録商標）や赤外線通信により画像形成装置１００と近距離での直接通信を行う。
【００３０】
無線ＬＡＮ通信部６６０は、画像形成システム１０のＬＡＮ５００に設けられている無線ＬＡＮ端末２００と無線で接続される。
【００３１】
携帯電話網通信部６７０は、携帯電話網を経由してインターネット７００にアクセスすることで、インターネット７００を経由して画像形成装置１００にアクセスする。
【００３２】
次に、本発明の実施形態に係る画像形成装置１００の機能別デバイス選択処理部１１０ｅが実行する機能別デバイス選択処理の流れを図５に示す。
【００３３】
ユーザーが画像形成装置１００の操作パネル１４０から操作を行うと、操作パネル処理部１５０が機能別デバイス選択処理部１１０ｅに操作開始通知を出力する。画像形成装置１００の機能別デバイス選択処理部１１０ｅは、操作開始通知を入力すると機能別デバイス選択処理を開始する。
また、ユーザーがモバイル端末６００の操作パネル６３０から操作を行うと、操作パネル処理部６４０が制御部６１０に操作開始通知を出力する。モバイル端末６００の制御部６１０は、操作開始通知を入力すると近距離無線通信部６５０、無線ＬＡＮ通信部６６０、または携帯電話網通信部６７０のいずれかの通信を経由して操作開始通知を画像形成装置１００に送信する。画像形成装置１００の近距離無線通信部１８０またはＬＡＮインターフェース部１９０が、モバイル端末６００から送信される操作開始通知を受信すると、機能別デバイス選択処理部１１０ｅに操作開始通知を出力する。画像形成装置１００の機能別デバイス選択処理部１１０ｅは、操作開始通知を入力すると機能別デバイス選択処理を開始する。
以下、図５に示す機能別デバイス選択処理のステップ順に説明する。
【００３４】
（ステップＳ１０）
まず、機能別デバイス選択処理部１１０ｅは、画像形成装置１００またはモバイル端末６００のどちらからの操作開始通知であるかを判定するために、画像形成装置１００の操作パネル処理部１５０から操作開始されたかを判定する。操作パネル処理部１５０から操作開始されたとき(ステップＳ１０のＹｅｓ)は、ステップＳ２０に進む。また、モバイル端末６００から操作開始されたとき(ステップＳ１０のＮｏ)は、ステップＳ５０に進む。
【００３５】
（ステップＳ２０）
次いで、機能別デバイス選択処理部１１０ｅは、画像形成装置１００またはモバイル端末６００のどちらの表示機能を選択するかを判定するために、メモリ部１２０の表示機能ポイント設定テーブル１２０ａから画像形成装置１００とモバイル端末６００の表示機能合計ポイントを取り出す。
【００３６】
（ステップＳ３０）
次いで、機能別デバイス選択処理部１１０ｅは、画像形成装置１００とモバイル端末６００の表示機能合計ポイントを比較し、画像形成装置１００の表示機能合計ポイントの方が大きいかを判定する。画像形成装置１００の表示機能合計ポイントの方が大きいとき(ステップＳ３０のＹｅｓ)は、ステップＳ４０に進む。また、モバイル端末６００の表示機能合計ポイントの方が大きいとき(ステップＳ３０のＮｏ)は、ステップＳ５０に進む。
【００３７】
（ステップＳ４０）
次いで、機能別デバイス選択処理部１１０ｅが、画像形成装置１００の表示機能を選択する設定を行うことで、制御部１１０は、以降の操作パネル１４０に対する表示を画像形成装置１００の表示機能により行う。
【００３８】
（ステップＳ５０）
次いで、機能別デバイス選択処理部１１０ｅは、モバイル端末６００の表示機能を選択する設定を行うことで、制御部１１０は、以降の操作パネル１４０に対する表示を画像形成装置１００の表示機能では行わない。
【００３９】
（ステップＳ６０）
次いで、機能別デバイス選択処理部１１０ｅは、画像形成装置１００またはモバイル端末６００のどちらのデータ処理機能を選択するかを判定するために、メモリ部１２０のデータ処理機能ポイント設定テーブル１２０ｂから画像形成装置１００とモバイル端末６００のデータ処理機能合計ポイントを取り出す。
【００４０】
（ステップＳ７０）
次いで、機能別デバイス選択処理部１１０ｅは、画像形成装置１００とモバイル端末６００のデータ処理機能合計ポイントを比較し、画像形成装置１００のデータ処理機能合計ポイントの方が大きいかを判定する。画像形成装置１００のデータ処理機能合計ポイントの方が大きいとき(ステップＳ７０のＹｅｓ)は、ステップＳ８０に進む。また、モバイル端末６００のデータ処理機能合計ポイントの方が大きいとき(ステップＳ７０のＮｏ)は、ステップＳ９０に進む。
【００４１】
（ステップＳ８０）
次いで、機能別デバイス選択処理部１１０ｅは、画像形成装置１００のデータ処理機能を選択する設定を行うことで、制御部１１０は、以降のデータ処理を画像形成装置１００のデータ処理機能により行う。
【００４２】
（ステップＳ９０）
次いで、機能別デバイス選択処理部１１０ｅは、モバイル端末６００の表示機能を選択する設定を行うことで、制御部１１０は、以降のデータ処理を画像形成装置１００のデータ処理機能では行わない。
【００４３】
（ステップＳ１００）
次いで、機能別デバイス選択処理部１１０ｅは、画像形成装置１００またはモバイル端末６００のどちらの通信機能を選択するかを判定するために、メモリ部１２０の通信機能ポイント設定テーブル１２０ｃから画像形成装置１００とモバイル端末６００の通信機能合計ポイントを取り出す。
【００４４】
（ステップＳ１１０）
次いで、機能別デバイス選択処理部１１０ｅは、画像形成装置１００とモバイル端末６００の通信機能合計ポイントを比較し、画像形成装置１００の通信機能合計ポイントの方が大きいかを判定する。画像形成装置１００の通信機能合計ポイントの方が大きいとき(ステップＳ１１０のＹｅｓ)は、ステップＳ１２０に進む。また、モバイル端末６００の通信機能合計ポイントの方が大きいとき(ステップＳ１１０のＮｏ)は、ステップＳ１３０に進む。
【００４５】
（ステップＳ１２０）
次いで、機能別デバイス選択処理部１１０ｅは、画像形成装置１００の通信機能を選択する設定を行うことで、制御部１１０は、以降の通信を画像形成装置１００の通信機能により行う。
【００４６】
（ステップＳ１３０）
次いで、機能別デバイス選択処理部１１０ｅは、モバイル端末６００の通信機能を選択する設定を行うことで、制御部１１０は、以降の通信を画像形成装置１００の通信機能では行わない。
【００４７】
（ステップＳ１４０）
次いで、機能別デバイス選択処理部１１０ｅは、表示機能、データ処理機能、及び通信機能について画像形成装置１００またはモバイル端末６００のいずれを選択したかの情報（以下、「機能毎デバイス選択情報」という）を、近距離無線通信部１８０またはＬＡＮインターフェース部１９０の通信手段を選択してモバイル端末６００に送信する。通信手段を選択する手順としては、予め決められている優先順序により通信可能かを判定し、通信可能となった通信手段を用いるようにすることも可能である。モバイル端末６００は、機能毎デバイス選択情報を受信することで、モバイル端末６００が選択された機能の処理を行い、モバイル端末６００が選択されていない機能の処理は行わない。
【００４８】
なお、画像形成装置１００の表示性能算出部６１０ａ、データ処理性能算出部６１０ｂ、通信性能算出部６１０ｃ、及び機能ポイント送信処理部６１０ｄは予め決められた一定の周期で実行され、モバイル端末６００の表示性能算出部６１０ａ、データ処理性能算出部６１０ｂ、通信性能算出部６１０ｃ、及び機能ポイント送信処理部６１０ｄも予め決められた一定の周期で実行されるので、表示機能ポイント設定テーブル１２０ａ、データ処理機能ポイント設定テーブル１２０ｂ、及び通信機能ポイント設定テーブル１２０ｃは予め決められた周期で更新される設定（以下、「動的設定」という）となる。しかし、表示機能ポイント設定テーブル１２０ａ、データ処理機能ポイント設定テーブル１２０ｂ、及び通信機能ポイント設定テーブル１２０ｃに予めポイントを設定しておき、これらのテーブルのポイントを更新されないようにする設定（（以下、「静的設定」という）にすることも可能である。また、動的設定にするか静的設定にするかを、画像形成装置１００またはモバイル端末６００からの操作開始のときに指定することも可能である。
【００４９】
また、画像形成システム１０において画像形成装置１００、モバイル端末６００、及びファイルサーバ４００を各々１台ずつ設ける構成としたがこれに限定されず、各々複数台設ける構成とすることも可能である。このように複数台設ける構成とするときには、画像形成装置１００、モバイル端末６００、及びファイルサーバ４００の各々に名称または番号を付けて識別し、この識別を用いて通信するようにすることで実施形態と同様の処理が可能である。また、ファイルサーバ４００については、ＬＡＮ５００に接続するようにしたがこれに限定されず、例えば、インターネット７００に接続するようにすることも可能である。また、画像形成システム１０で用いられるデータファイルが保存されるファイルサーバ４００に限定されず、画像形成装置１００に処理やデータなどを提供するサーバとすることも可能である。
【００５０】
また、画像形成装置１００の操作パネル１４０の表示機能、操作画面に表示するデータの生成処理や画像プレビューの作成処理などにおけるデータ処理機能、及び画像形成装置１００がファィルサーバ４００またはモバイル端末６００との通信機能としたが、モバイル端末６００が具備することができる画像形成装置１００の機能であれば、これに限定されない。また、画像形成装置１００とモバイル端末６００における表示機能、データ処理機能、及び通信機能の要素の性能を検出し、予め決められた重み付けにより要素毎のポイントとその合計ポイントを算出し、この合計ポイントに基づいて画像形成装置１００またはモバイル端末６００で行う機能を判定するようにしたがこれに限定されない。例えば、各機能における特定の要素の性能情報を比較して判定することも可能である。また、画像形成装置１００またはモバイル端末６００のどちらで機能の処理を行うかの判定を画像形成装置１００で行うようにしたが、画像形成装置１００の要素毎のポイントとその合計ポイントをモバイル端末６００に送信することで、モバイル端末６００側で判定することも可能である。
【００５１】
また、画像形成装置１００とモバイル端末６００における近距離無線通信は、近距離無線通信規格であるBluetooth（登録商標）や赤外線通信を用いて行うとしたがこれに限定されず、例えば、非接触型のＩＣカードリーダを画像形成装置１００に接続し、このＩＣカードリーダとモバイル端末６００とを通信させるようにすることで、近距離無線通信を行うことも可能である。
【００５２】
このような本発明の画像形成装置及び画像形成システムによれば、画像形成装置１００の機能を具備するモバイル端末６００において、画像形成装置１００の機能の処理を機能毎に画像形成装置１００で行うか、またはモバイル端末６００で行うかをユーザーの利便性から判断し、利便性の高い画像形成装置またはモバイル端末でその機能を行うことができる。
【００５３】
具体的な実施の形態により本発明を説明したが、上記実施の形態は本発明の例示であり、この実施の形態に限定されないことは言うまでもない。
【産業上の利用可能性】
【００５４】
本発明は、画像形成装置に好適であるが、画像形成装置に限られるものではなく、モバイル端末から操作可能な装置一般に適用可能である。
【符号の説明】
【００５５】
１０・・・・・画像形成システム
１００・・・・・画像形成装置
１０１・・・・・バス
１１０・・・・・制御部
１１０ａ・・・・表示性能算出部
１１０ｂ・・・・データ処理性能算出部
１１０ｃ・・・・通信性能算出部
１１０ｄ・・・・機能ポイント受信処理部
１１０ｅ・・・・機能別デバイス選択処理部
１２０・・・・・メモリ部
１２０ａ・・・・表示機能ポイント設定テーブル
１２０ｂ・・・・データ処理機能ポイント設定テーブル
１２０ｃ・・・・通信機能ポイント設定テーブル
１３０・・・・・データ保存部
１３０ａ・・・・画像データ保存エリア
１４０・・・・・操作パネル
１５０・・・・・操作パネル処理部
１６０・・・・・原稿読取部
１７０・・・・・画像処理部
１８０・・・・・近距離無線通信部
１９０・・・・・ＬＡＮインターフェース部
２００・・・・・無線ＬＡＮ端末
３００・・・・・ルータ
４００・・・・・ファイルサーバ
５００・・・・・ＬＡＮ
６００・・・・・モバイル端末
６０１・・・・・バス
６１０・・・・・制御部
６１０ａ・・・・表示性能算出部
６１０ｂ・・・・データ処理性能算出部
６１０ｃ・・・・通信性能算出部
６１０ｄ・・・・機能ポイント送信処理部
６２０・・・・・メモリ部
６２０ａ・・・・表示機能ポイント保存エリア
６２０ｂ・・・・データ処理機能ポイント保存エリア
６２０ｃ・・・・通信機能ポイント保存エリア
６３０・・・・・操作パネル
６４０・・・・・操作パネル処理部
６５０・・・・・近距離無線通信部
６６０・・・・・無線ＬＡＮ通信部
６７０・・・・・携帯電話網通信部
７００・・・・・インターネット
【図１】
2014048915.tif 000003
【図２】
2014048915.tif 000004
【図３】
2014048915.tif 000005
【図４】
2014048915.tif 000006
【図５】
2014048915.tif 000007